(57)【要約】【課題】導電性の変位部による電波障害を軽減させて、アンテナの受信感度の低下を防ぐことができるモジュールおよびそれを備えた時計を提供する。【解決手段】回路基板の外周に沿って配置され、スイッチ操作に応じて変位する金属製の板ばね３０と、回路基板上に、その回路基板の外周に沿った状態で一端部２１ａが板ばね３０の先端部３０ａ側に向けて配置されたアンテナ２１と、を備えている。従って、アンテナ２１に発生する磁界を板ばね３０に沿って発生させることができるので、アンテナ２１の一端部２１ａを板ばね３０の先端部３０ａ側に向けて配置しても、板ばね３０による電波障害を軽減させることができ、これによりアンテナ２１の受信感度の低下を防ぐことができる。【選択図】図３
2018194557.tif 000002
【特許請求の範囲】
【請求項１】
回路基板と、
前記回路基板の外周に沿って配置され、スイッチ操作に応じて変位する導電性の変位部と、
前記回路基板上に、前記回路基板の外周に沿った状態で一端部が３時または９時の方向に向けて配置され、他端部が６時または１２時の方向に向けて配置されたアンテナと、
前記回路基板が配置されるハウジングと、
前記回路基板を前記ハウジングに取り付けるための導電板と、を備え、
前記導電板に前記変位部が設けられ、
前記導電板と前記変位部との間には、その両方を連結する連結部が設けられ、前記連結部は、前記変位部に沿う前記アンテナの長手方向における中心部に対応した状態で、前記アンテナの磁界を横切って配置されていることを特徴とするモジュール。
【請求項２】
請求項１に記載のモジュールにおいて、前記アンテナは、棒状に形成されたコアと、前記コアに巻き付けられたコイルと、を備え、前記コアの長手方向における一端部側から他端部側に向けて磁界が発生することを特徴とするモジュール。
【請求項３】
請求項１または請求項２に記載のモジュールにおいて、前記導電板は、前記回路基板を前記ハウジングに取り付けるためのフック部を備え、前記アンテナの中心軸の延長線上に前記変位部または前記フック部が配置されていないことを特徴とするモジュール。
【請求項４】
請求項１〜請求項３のいずれかに記載のモジュールにおいて、前記導電板には、前記アンテナに対する重なりを避けるための逃げ部が設けられていることを特徴とするモジュール。
【請求項５】
請求項１〜請求項４のいずれかに記載のモジュールにおいて、前記導電板には、前記ハウジングに係止されて前記回路基板を前記ハウジングに取り付けるためのフック部と、前記フック部に隣接して配置された他の変位部とが、前記アンテナの長手方向の他端部側に対応して設けられ、前記アンテナは、その中心軸の延長線が前記フック部と前記他の変位部との間に位置した状態で、前記回路基板に配置されていることを特徴とするモジュール。
【請求項６】
請求項１〜請求項５のいずれかに記載のモジュールにおいて、前記アンテナは、前記一端部側を前記回路基板の８時側に向け、前記他端部側を前記回路基板の６時側に向けた状態で、前記回路基板の７時側に位置する箇所に傾いて配置されていることを特徴とするモジュール。
【請求項７】
請求項１〜請求項６のいずれかに記載のモジュールにおいて、前記アンテナが配置された前記回路基板の一面側には、前記アンテナを避けた位置に、電池、圧力センサ、および磁気センサが配置されていることを特徴とするモジュール。
【請求項８】
請求項１〜請求項７のいずれかに記載のモジュールにおいて、前記アンテナが配置された前記回路基板の他面側には、時刻指示機能および副表示機能を備えたムーブメントと、情報を電気光学的に表示する表示装置とが、配置され、前記副表示機能と前記表示装置とが前記アンテナを避けた位置に配置されていることを特徴とするモジュール。
【請求項９】
請求項１〜請求項８のいずれかに記載されたモジュールを備えていることを特徴とする時計。
【請求項１０】
回路基板と、
導電板に設けられ、スイッチ操作に応じて変位する変位部と、
前記回路基板上に配置されたアンテナと、を備え、
前記導電板と前記変位部との間には、その両方を連結する連結部が設けられ、前記連結部は、前記変位部に沿う前記アンテナの長手方向における中心部に対応した状態で、前記アンテナの磁界を横切って配置されていることを特徴とするモジュール。
【発明の詳細な説明】
【技術分野】
【０００１】
この発明は、腕時計、携帯電話機、携帯情報端末機などの電子機器に用いられるモジュールおよびそれを備えた時計に関する。
【背景技術】
【０００２】
例えば、腕時計においては、特許文献１に記載されているように、腕時計ケースの上部開口部を時計ガラスで閉塞し、腕時計ケースの下部開口部を金属製の裏蓋で閉塞し、この腕時計ケース内に、バーアンテナを搭載した時計モジュールを組み込んだ構成のものが知られている。
【先行技術文献】
【特許文献】
【０００３】
【特許文献１】特開２０１３−１７５８４６号公報
【０００４】
このような腕時計は、腕時計ケースを金属製の外ケースとこの外ケースの内側に配置された合成樹脂製の内ケースとで構成し、この内ケースによって外ケースと裏蓋とを電気的に絶縁することにより、合成樹脂製の内ケースによって時計モジュールに搭載されたバーアンテナを金属製の外ケースから十分に離して、バーアンテナの受信感度を向上させるように構成されている。
【発明の概要】
【発明が解決しようとする課題】
【０００５】
しかしながら、このような腕時計では、時計モジュールの外周部における複数箇所にスイッチ部のスイッチ操作に応じて撓み変形する複数の金属製の板ばねが配置され、これら複数の板ばねのいずれかがバーアンテナの長手方向に配置されていると、バーアンテナに生じる磁界が板ばねによって妨げられるため、バーアンテナの受信感度が低下するという問題がある。
【０００６】
この発明が解決しようとする課題は、導電性の変位部による電波障害を軽減させて、アンテナの受信感度の低下を防ぐことができるモジュールおよびそれを備えた時計を提供することである。
【課題を解決するための手段】
【０００７】
この発明は、回路基板と、前記回路基板の外周に沿って配置され、スイッチ操作に応じて変位する導電性の変位部と、前記回路基板上に、前記回路基板の外周に沿った状態で一端部が３時または９時の方向に向けて配置され、他端部が６時または１２時の方向に向けて配置されたアンテナと、前記回路基板が配置されるハウジングと、前記回路基板を前記ハウジングに取り付けるための導電板と、を備え、前記導電板に前記変位部が設けられ、前記導電板と前記変位部との間には、その両方を連結する連結部が設けられ、前記連結部は、前記変位部に沿う前記アンテナの長手方向における中心部に対応した状態で、前記アンテナの磁界を横切って配置されていることを特徴とするモジュールである。
【発明の効果】
【０００８】
この発明によれば、変位部による電波障害を軽減させることができ、これによりアンテナの受信感度の低下を防ぐことができる。
【図面の簡単な説明】
【０００９】
【図１】この発明を腕時計に適用した一実施形態を示した拡大正面図である。
【図２】図１に示された腕時計に組み込まれる時計モジュールを示した拡大平面図である。
【図３】図２に示された時計モジュールの拡大裏面図である。
【図４】図２に示された時計モジュールのＡ−Ａ矢視において、その一部を断面で示した拡大側図である。
【図５】図４に示された回路基板を示した拡大裏面図である。
【発明を実施するための形態】
【００１０】
以下、図１〜図５を参照して、この発明を腕時計に適用した一実施形態について説明する。
この腕時計は、図１に示すように、腕時計ケース１を備えている。この腕時計ケース１の１２時側と６時側とには、時計バンド（図示せず）を取り付けるためのバンド取付部２が設けられている。この腕時計ケース１の３時側には、時刻修正などのスイッチ動作をする竜頭などのスイッチ装置３が設けられている。
【００１１】
また、この腕時計ケース１の２時側、４時側、８時側、１０時側には、図１に示すように、押釦スイッチ４がそれぞれ設けられており、この腕時計ケース１の６時側には、上面スイッチ５が設けられている。また、この腕時計ケース１の９時側には、図１および図３に示すように、高度計用の圧力センサ６が設けられており、この腕時計ケース１の１２時側には、水深用の圧力センサ７が設けられている。
【００１２】
一方、この腕時計ケース１の内部には、図２〜図４に示すように、時計モジュール８が設けられている。この時計モジュール８は、上部ハウジング１０と下部ハウジング１１と回路基板１２と導電板である地板１３とを備えている。上部ハウジング１０には、時計ムーブメント（図示せず）、表示装置１４、および照明装置１５が搭載されており、この上部ハウジング１０の上面には、文字板１６が配置されている。
【００１３】
時計ムーブメントは、時刻指示機能と副表示機能とを備えている。この場合、時刻指示機能は、図１に示すように、その表示領域が文字板１６のほぼ全域に亘って設けられている。副表示機能は、方位を示すレトログラード機能であり、その表示領域が文字板１６の３時側から６時側に亘ってほぼ扇形状に設けられている。
【００１４】
また、この時計ムーブメントは、複数のステップモータおよび輪列機能（いずれも図示せず）を備え、図２および図４に示すように、輪列機能の指針軸１７ａと副針軸１８ａとが、文字板１６の貫通孔１６ａ、１６ｂを通して文字板１６の上方にそれぞれ突出するように構成されている。
【００１５】
この場合、時計ムーブメントの時刻指示機能は、図２および図４に示すように、文字板１６の中央部に設けられた貫通孔１６ａを通して上方に突出した指針軸１７ａの上端部に、秒針、分針、時針などの指針１７が取り付けられ、この指針１７が文字板１６の上方を運針するように構成されている。これにより、時刻指示機能は、図１に示すように、指針１７が文字板１６の外周に設けられた時字１６ｃを指示して、時刻を文字板１６のほぼ全域に亘る領域内で指示表示するように構成されている。
【００１６】
また、この時計ムーブメントのレトログラード機能は、図２および図４に示すように、文字板１６のほぼ５時側に設けられた貫通孔１６ｂを通して上方に突出した副針軸１８ａの上端部に、副針である小針１８が取り付けられ、この小針１８が文字板１６の副表示部１９の上方で１２時方向を中心に左右方向に振れるように構成されている。これにより、レトログラード機能は、図１に示すように、小針１８が文字板１６の３時側から６時側に亘るほぼ扇形状の領域内において、方位を指示表示するように構成されている。
【００１７】
また、上部ハウジング１０の表示装置１４は、図１および図２に示すように、文字板１６の１２時側に横長に配置されている。この表示装置１４は、図４に示すように、表示パネル１４ａとバックライト１４ｂとを備え、これらが上部ハウジング１０の表示収納部１０ａ内に配置されている。この表示装置１４は、図１に示すように、表示パネル１４ａに表示された情報が文字板１６の１２側に設けられた横長の表示窓部１６ｄを通して腕時計ケース１の上方から見えるように構成されている。
【００１８】
この場合、表示パネル１４ａは、図１、図２および図４に示すように、液晶表示パネルであり、時刻や曜日、日付などの情報を電気光学的に表示するように構成されている。バックライト１４ｂは、表示パネル１４ａを裏面側から照明することにより、表示パネル１４ａに表示された情報が鮮明に見えるように構成されている。また、照明装置１５は、図２および図４に示すように、ＬＥＤなどの発光素子であり、上部ハウジング１０の６時側に配置され、文字板１６の上面側を照明するように構成されている。
【００１９】
また、下部ハウジング１１には、図３および図４に示すように、釦型の電池２０を収納する電池収納部１１ａおよびアンテナ２１を収納するアンテナ収納部１１ｂが設けられている。この場合、電池収納部１１ａは、下部ハウジング１１のほぼ５時側に円形状に設けられている。アンテナ収納部１１ｂは、下部ハウジング１１の７時側に長方形状に設けられている。
【００２０】
また、この下部ハウジング１１の下面には、図３および図４に示すように、導電板である金属製の地板１３が配置されている。この地板１３には、下部ハウジング１１の電池収納部１１ａ内に配置された電池２０を押える電極板１３ａが設けられている。また、この地板１３には、回路基板１２の電極端子（図示せず）に接触する基板接続部１３ｂと、腕時計ケース１の下部に取り付けられる裏蓋（図示せず）に接触する蓋接続部１３ｃと、が設けられている。
【００２１】
さらに、この地板１３の外周部には、図３および図４に示すように、複数のフック部２２が上方に突出して設けられている。複数のフック部２２は、下部ハウジング１１の下面に地板１３が配置された状態で、下部ハウジング１１上に回路基板１２が配置され、この回路基板１２上に上部ハウジング１０が配置された際に、これらの外周面に沿って上側に延び、この延びた上端部の係止孔２２ａが、上部ハウジング１０の外周面に設けられた複数の突起部１０ｂにそれぞれ係合するように構成されている。
【００２２】
これにより、地板１３は、図３および図４に示すように、下部ハウジング１１、回路基板１２、上部ハウジング１０が重ね合わされた際に、複数のフック部２２の各係止孔２２ａが、上部ハウジング１０の外周面に設けられた複数の突起部１０ｂにそれぞれ係合することにより、下部ハウジング１１、回路基板１２、および上部ハウジング１０を一体的に組み付けるように構成されている。
【００２３】
回路基板１２は、図３〜図５に示すように、上部ハウジング１０と下部ハウジング１１との間に配置されるように構成されている。この回路基板１２の下面（図５では表面）には、アンテナ２１、磁気センサ２４、第１コネクタ２５、第２コネクタ２６が設けられているほか、コンデンサ２７などの各種の電子部品が設けられている。
【００２４】
アンテナ２１は、図３および図５に示すように、バーアンテナであり、棒状に形成されたコアと、このコアに巻き付けられたコイル（いずれも図示せず）と、を備え、コアの長手方向における一端部２１ａ側から他端部２１ｂ側に向けて磁界が発生するように構成されている。このアンテナ２１は、回路基板１２の下面（図５では表面）における７時側に位置する箇所に、８時側から６時側に向けて傾いた状態で配置されている。
【００２５】
この場合、アンテナ２１は、図３および図５に示すように、下部ハウジング１１の電池収納部１１ａ内に収納された電池２０からできるだけ離れた状態で、かつ下部ハウジング１１の電池収納部１１ａ内に収納された電池２０の接線方向とほぼ平行な方向に沿った状態で、回路基板１２の下面（図５では表面）に配置されている
【００２６】
磁気センサ２４は、レトログラード機能の方位を検出するためのものであり、図５に示すように、アンテナ２１から最も離れた位置、例えば回路基板１２の下面（図５では表面）における１１時側に配置されている。第１コネクタ２５は、高度計用の圧力センサ６が接続されるものであり、回路基板１２の下面における９時側に配置されている。第２コネクタ２６は、水深用の圧力センサ７が接続されるものであり、回路基板１２の下面における１２時側に配置されている。
【００２７】
また、回路基板１２の外周部には、図５に示すように、複数の接点端子２８が複数の押釦スイッチ４および上面スイッチ５にそれぞれ対応して設けられている。すなわち、複数の接点端子２８は、回路基板１２の外周部における２時側、４時側、６時側、８時側、および１０時側にそれぞれ設けられている。
【００２８】
この場合、地板１３の外周部には、図３に示すように、回路基板１２の外周部に設けられた複数の接点端子２８にそれぞれ接離可能に接触する複数の変位部である複数の金属製の板ばね３０が設けられている。これら複数の板ばね３０は、複数の接点端子２８と同様、複数の押釦スイッチ４および上面スイッチ５それぞれに対応して設けられている。
【００２９】
すなわち、これら複数の板ばね３０それぞれは、図３に示すように、地板１３の外周部から回路基板１２の外周面に向けて突出し、この突出した端部から回路基板１２の外周面に沿って延び、この延びた先端部３０ａが複数の接点端子２８それぞれに接離可能に接触するように構成されている。
【００３０】
これにより、複数の板ばね３０は、図３に示すように、複数の押釦スイッチ４および上面スイッチ５それぞれのスイッチ操作に応じて撓み変形し、この撓み変形した複数の板ばね３０の各先端部３０ａが回路基板１２の外周面に設けられた複数の接点端子２８それぞれに接触することにより、スイッチ動作するように構成されている。
【００３１】
ところで、アンテナ２１は、図４に示すように、その上下方向の位置が回路基板１２の外周に配置された複数の板ばね３０の上下方の位置と対応する位置に配置されている。このアンテナ２１は、図３および図５に示すように、その一端部２１ａ側を回路基板１２の８時側に向け、他端部２１ｂ側を回路基板１２の６時側に向けた状態で、回路基板１２の７時側に位置する箇所に傾いて配置されている。
【００３２】
この場合、アンテナ２１は、図３に示すように、回路基板１２の７時側に傾いて配置される際に、８時側の押釦スイッチ４に対応して７時側から８時側に向けて配置された板ばね３０に沿った状態で、アンテナ２１の一端部２１ａが８時側の板ばね３０の先端部３０ａ側に向けて配置されている。また、アンテナ２１の中心軸２１ｃの延長線上に板ばね３０が配置されていない。
【００３３】
すなわち、このアンテナ２１は、図３において、その一端部２１ａ側から他端部２１ｂ側に向けて磁界が発生することにより、８時側の押釦スイッチ４に対応する板ばね３０によってアンテナ２１に発生する磁界が妨げられない状態で、回路基板１２の７時側に傾いて配置されている。
【００３４】
この場合、８時側の押釦スイッチ４に対応する板ばね３０と地板１３との間には、図３に示すように、板ばね３０と地板１３とを連結する連結部３１が設けられている。この連結部３１は、幅の狭い帯板状に形成され、８時側の押釦スイッチ４に対応する板ばね３０に沿うアンテナ２１の長手方向における中心部に対応した状態で、アンテナ２１に発生する磁界をほぼ直角に横切って回路基板１２の外周部に延びるように構成されている。
【００３５】
すなわち、この連結部３１は、図３に示すように、地板１３の外周部からアンテナ２１の長手方向における中心部に対応する箇所を通り、回路基板１２の７時側の外周部に向けて延び、この延びた端部に板ばね３０が設けられた構成になっている。これにより、連結部３１は、アンテナ２１に発生する磁界を妨げないように構成されている。
【００３６】
また、連結部３１の両側に位置する箇所の地板１３には、図３に示すように、アンテナ２１に対する重なりを避けるための逃げ部３２が設けられている。これにより、アンテナ２１の近傍に位置する地板１３は、逃げ部３２によってアンテナ２１に対する重なりを防いで、アンテナ２１に発生する磁界を妨げないように構成されている。
【００３７】
さらに、アンテナ２１は、図３に示すように、その長手方向における他端部２１ｂが６時側に位置するフック部２２と６時側に位置して上面スイッチ５に対応する板ばね３０との間に対応した状態で、配置されている。この場合、６時側に位置するフック部２２と６時側の上面スイッチ５に対応する板ばね３０とは、所定間隔をもって離れた状態で配置されている。
【００３８】
これにより、アンテナ２１は、図３に示すように、その中心軸２１ｃの延長線が、６時側に位置するフック部２２と６時側の上面スイッチ５に対応する板ばね３０との間に位置した状態で配置されている。つまり、アンテナ２１の中心軸２１ｃの延長線上に板ばね３０またはフック部２２が配置されていない。このため、アンテナ２１は、その他端部２１ｂ側に発生する磁界が６時側に位置するフック部２２と６時側の上面スイッチ５に対応する板ばね３０とによって妨げられないように構成されている。
【００３９】
次に、このような腕時計における時計モジュール８の作用について説明する。
この時計モジュール８では、上部ハウジング１０の上面に配置された文字板１６のほぼ全域の領域に時計ムーブメントの時刻指示機能が配置され、この文字板１６の３時側から６時側に亘る扇形状の領域に時計ムーブメントのレトログラード機能が配置されている。
【００４０】
このため、この時計モジュール８では、時刻指示機能の指針１７が文字板１６の上方のほぼ全域で運針して時刻を指示するので、時刻の指示表示が見やすい。また、レトログラード機能の小針１８が文字板１６の３時側から６時側に亘る扇形状の広い領域内で１２時方向を中心に左右に大きく振れるので、小針１８による方位の指示が見やすい。
【００４１】
この場合、レトログラード機能は、その副表示部１９が文字板１６の３時側から６時側に亘る扇形状の広い面積で設けられていることにより、副表示部１９が見やすく、かつ小針１８を長く形成することができる。このため、小針１８の視認性が向上する共に、小針１８によってユーザが直感的に方位指示を視認することができるので、小針１８による方位指示が、より一層、見やすくなる。
【００４２】
また、この時計モジュール８では、表示装置１４がレトログラード機能の副表示部１９の表示領域を妨げないように、１２時側に配置されていることにより、レトログラード機能の小針１８が表示装置１４の表示領域に重なることがないため、表示装置１４の設置領域を広くして表示パネル１４ａの表示面積を広くし、これにより表示パネル１４ａに表示された情報が見やすくなっている。
【００４３】
また、この時計モジュール８では、９時側に高度計用の圧力センサ６が設けられ、１２時側に水深用の圧力センサ７が設けられていることにより、高度計用の圧力センサ６で高度や気圧を検出することができると共に、水深用の圧力センサ７で水深や水圧を検出することができるので、アウトドアにおける幅広い活動ができる。
【００４４】
さらに、この時計モジュール８では、下部ハウジング１１に電池２０を収納する電池収納部１１ａを２時側から６時側に亘る５時側に円形状に設け、回路基板１２の下面における７時側にアンテナ２１を配置した。このため、アンテナ２１は、電池収納部１１ａから十分な距離を離して配置されていると共に、表示装置１４による電波障害を受けないように、表示装置１４からも大きく離れた位置に配置されている。
【００４５】
この場合、アンテナ２１は、図３に示すように、その一端部２１ａ側を回路基板１２の８時側に向け、他端部２１ｂ側を回路基板１２の６時側に向けた状態で、回路基板１２の７時側に位置する箇所に傾いて配置されている。このため、アンテナ２１は、下部ハウジング１１の電池収納部１１ａ内に収納された電池２０から十分な距離を離して設置することができる。
【００４６】
また、このアンテナ２１は、図３に示すように、下部ハウジング１１の電池収納部１１ａ内に収納された電池２０に対する接線方向とほぼ平行な方向に沿って配置されていることにより、アンテナ２１に発生する磁界が電池２０の影響を受け難くし、電池２０による電波障害が生じないように設置されている。
【００４７】
さらに、この時計モジュール８では、アンテナ２１が回路基板１２の７時側に位置する箇所に傾いて配置されていることにより、回路基板１２の８時側と６時側とに位置する外周部に板ばね３０がそれぞれ配置されていても、これらの板ばね３０によるアンテナ２１の電波障害が軽減されている。
【００４８】
すなわち、アンテナ２１は、その長手方向が８時側の押釦スイッチ４に対応する板ばね３０に沿った状態で、アンテナ２１の一端部２１ａが８時側の板ばね３０の先端部３０ａ側に向けて配置されている。これにより、アンテナ２１は、８時側に位置する板ばね３０がアンテナ２１に発生する磁界を妨げないため、８時側に位置する板ばね３０によるアンテナ２１の電波障害が軽減される。
【００４９】
この場合、８時側に位置する板ばね３０は、下部ハウジング１１の下面に配置される金属製の地板１３に連結部３１によって連結されているが、この連結部３１がアンテナ２１の電波障害を起こさないように配置されている。すなわち、この連結部３１は、幅の狭い帯板状に形成され、８時側に位置する板ばね３０に沿うアンテナ２１の長手方向における中心部に対応した状態で、アンテナ２１に発生する磁界を横切って配置されている。このため、アンテナ２１は、連結部３１によるアンテナ２１の電波障害が軽減される。
【００５０】
また、金属製の地板１３には、アンテナ２１に対する重なりを避けるための逃げ部３２が設けられていることにより、アンテナ２１に対する地板１３の重なりよるアンテナ２１の電波障害が軽減される。さらに、アンテナ２１は、その中心軸２１ｃの延長線が地板１３の６時側に設けられたフック部２２と地板１３の６時側に設けられた他の板ばね３０との間に位置した状態で、回路基板１２に配置されている。このため、アンテナ２１は、フック部２２と他の板ばね３０とによる電波障害が軽減される。
【００５１】
このように、この腕時計の時計モジュール８によれば、回路基板１２の外周に沿って配置され、スイッチ操作に応じて変位する金属製の板ばね３０と、回路基板１２上に、板ばね３０に沿った状態で一端部２１ａが板ばね３０の先端部３０ａ側に向けて配置されたアンテナ２１と、を備えていることにより、金属製の板ばね３０による電波障害を軽減させることができ、これによりアンテナ２１の受信感度の低下を防ぐことができる。
【００５２】
すなわち、この時計モジュール８では、アンテナ２１が板ばね３０に沿って配置されているので、アンテナ２１に発生する磁界を金属製の板ばね３０に沿って発生させることができる。このため、アンテナ２１の一端部２１ａを板ばね３０の先端部３０ａ側に向けて配置しても、板ばね３０によるアンテナ２１の電波障害を軽減させることができるので、アンテナ２１の受信感度の低下を防ぐことができる。
【００５３】
この場合、アンテナ２１は、棒状に形成されたコアと、このコアに巻き付けられたコイルと、を備えたバーアンテナであり、コアの長手方向における一端部２１ａ側から他端部２１ｂ側に向けて磁界が発生する構成であるから、アンテナ２１がその一端部２１ａから他端部２１ｂに向けて磁界を発生する際に、アンテナ２１を板ばね３０に沿って配置させることにより、アンテナ２１に発生する磁界が金属製の板ばね３０によって妨げられないようにすることができる。
【００５４】
また、この時計モジュール８では、アンテナ２１を搭載する回路基板１２を挟んで保持する上部ハウジング１０および下部ハウジング１１と、回路基板１２を上部ハウジング１０と下部ハウジング１１との間に挟んで取り付ける導電板である地板１３と、を備え、この地板１３に板ばね３０が設けられていることにより、上部ハウジング１０と下部ハウジング１１との間に回路基板１２を配置した状態で、下部ハウジング１１の下面に地板１３を配置することにより、回路基板１２の外周に板ばね３０を配置することができる。
【００５５】
すなわち、地板１３は、その外周部に複数の板ばね３０と複数のフック部２２とが設けられた構成であるから、下部ハウジング１１、回路基板１２、上部ハウジング１０を重ね合わせた状態で、下部ハウジング１１の下面に地板１３を配置すると、複数の板ばね３０が回路基板１２の外周に配置された状態で、複数のフック部２２が上部ハウジング１０の外周面に設けられた複数の突起部１０ｂそれぞれに係合することにより、下部ハウジング１１、回路基板１２、および上部ハウジング１０を一体的に組み付けることができる。
【００５６】
この場合、この時計モジュール８では、導電板である地板１３と板ばね３０との間に、その両方を連結する連結部３１が設けられ、この連結部３１が幅の狭い帯板状に形成され、板ばね３０に沿うアンテナ２１の長手方向における中心部に対応した状態で、アンテナ２１の磁界を横切って配置されていることにより、アンテナ２１の長手方向における中心部に連結部３１を対応させて配置しても、連結部３１によるアンテナ２１の電波障害を軽減することができ、これによってもアンテナ２１の受信感度の低下を防ぐことができる。
【００５７】
また、この時計モジュール８では、導電板である金属製の地板１３に、アンテナ２１に対する重なりを避けるための逃げ部３２が設けられていることにより、アンテナ２１に対する地板１３の重なりによる電波障害を軽減することができるので、これによってもアンテナ２１の受信感度の低下を防ぐことができる。
【００５８】
さらに、この時計モジュール８では、アンテナ２１の中心軸２１ｃの延長線が地板１３の６時側に設けられたフック部２２と地板１３の６時側に設けられた他の板ばね３０との間に位置した状態で、回路基板１２に配置されていることにより、フック部２２と他の板ばね３０とによるアンテナ２１の電波障害を軽減することができるので、これによってもアンテナ２１の受信感度の低下を防ぐことができる。
【００５９】
この場合、この時計モジュール８では、アンテナ２１がその一端部２１ａ側を回路基板１２の８時側に向け、他端部２１ｂ側を回路基板１２の６時側に向けた状態で、回路基板１２の７時側に位置する箇所に傾いて配置されていることにより、回路基板１２の外周部の複数箇所にそれぞれ金属製の板ばね３０が配置されていても、これら複数の板ばね３０による電波障害がほとんど生じないようにすることができる。
【００６０】
すなわち、この時計モジュール８では、アンテナ２１を回路基板１２における７時側に位置する箇所に配置しても、地板１３に設けられた複数の板ばね３０および地板１３によるアンテナ２１の電波障害を軽減することができるので、アンテナ２１を回路基板１２における７時側に位置する箇所に良好に設置することができる。
【００６１】
このため、この時計モジュール８では、アンテナ２１を回路基板１２における７時側に傾けて設置していることにより、このアンテナ２１を避けた位置に、時計ムーブメント、表示装置１４、電池２０、高度計用の圧力センサ６、水深用の圧力センサ７、および磁気センサ２４などの各種の部品を効率良く設置することができる。
【００６２】
すなわち、この時計モジュール８では、電池２０がアンテナ２１の近傍に位置する５時側に配置されていても、電池２０を収納する下部ハウジング１１の電池収納部１１ａから十分な距離を離してアンテナ２１を配置することができると共に、下部ハウジング１１の電池収納部１１ａの接線方向とほぼ平行な方向に沿った状態でアンテナ２１を配置することができるので、電池２０によるアンテナ２１の電波障害を軽減することができ、これによってもアンテナ２１の受信感度の低下を防ぐことができる。
【００６３】
また、この時計モジュール８では、高度計用の圧力センサ６を９時側に配置し、水深用の圧力センサ７を１２時側に配置し、磁気センサ２４を１１時側に配置することにより、これらがアンテナ２１に電波障害を起こさないように、効率良く設置することができる。
【００６４】
さらに、この時計モジュール８では、表示装置１４をアンテナ２１から最も離れた回路基板１２の１２時側に設置することができるので、表示装置１４の設置領域を広くして表示パネル１４ａの表示面積を広くすることができ、これにより表示パネル１４ａに表示された情報を見やすくすることができる。
【００６５】
このため、この時計モジュール８では、上部ハウジング１０の上面に配置された文字板１６のほぼ全域の領域に時計ムーブメントの時刻指示機能の表示領域を配置し、この文字板１６の３時側から６時側に亘る扇形状の領域に時計ムーブメントのレトログラード機能の表示領域を、表示装置１４の表示領域に重なることなく配置することができる。
【００６６】
これにより、この時計モジュール８では、時刻指示機能の指針１７を文字板１６の上方のほぼ全域で運針させて時刻を指示させることができ、時刻の指示表示を見やすくすることができる。また、レトログラード機能では、小針１８が文字板１６の３時側から６時側に亘る扇形状の広い領域内で１２時方向を中心に左右に大きく振れるので、小針１８による方位指示を見やすくすることができる。
【００６７】
この場合、レトログラード機能は、その副表示部１９を表示装置１４の表示領域に重なることがなく、文字板１６の３時側から６時側に亘る扇形状に広い面積で設けることができ、これにより副表示部１９を見やすくし、かつ小針１８を長く形成することができる。このため、小針１８の視認性を向上させることができると共に、小針１８によってユーザが直感的に方位指示を視認することができるので、小針１８による方位指示を、より一層、見やすくすることができる。
【００６８】
なお、上述した実施形態では、時計ムーブメントの副表示機構として、方位を指示するレトログラード機能を設けた場合について述べたが、この発明はこれに限らず、例えば、潮の満ち引き、または月の満ち欠けなどの情報を表示する副表示機能を設けても良い。
【００６９】
また、上述した実施形態では、アンテナ２１が板ばね３０に沿って配置されているが、板ばね３０に沿って配置されていなくても良く、回路基板１２の外周に沿って配置されていれば良い。また、上述した実施形態では、アンテナ２１を回路基板１２における７時側に位置する箇所に配置しているが、これに限らず、回路基板１２の外周に沿って配置されていれば良く、例えば、アンテナ２１を回路基板１２における５時側に位置する箇所に配置する等、アンテナ２１の一端部２１ａが３時又は９時の方向に向けて配置され、他端部２１ｂが６時又は１２時の方向に向けて配置されていても良い。
【００７０】
さらに、上述した実施形態では、腕時計に適用した場合について述べたが、必ずしも腕時計である必要はなく、例えば、トラベルウオッチ、目覚まし時計、置き時計、掛け時計などの各種の時計に適用することができる。また、この発明は必ずしも時計である必要はなく、例えば、携帯電話機、携帯情報端末機などの電子機器にも広く適用することができる。
【００７１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７２】
（付記）
請求項１に記載の発明は、回路基板と、前記回路基板の外周に沿って配置され、スイッチ操作に応じて変位する導電性の変位部と、前記回路基板上に、前記回路基板の外周に沿った状態で一端部が３時または９時の方向に向けて配置され、他端部が６時または１２時の方向に向けて配置されたアンテナと、を備えていることを特徴とするモジュールである。
【００７３】
請求項２に記載の発明は、請求項１に記載のモジュールにおいて、前記アンテナは、棒状に形成されたコアと、前記コアに巻き付けられたコイルと、を備え、前記コアの長手方向における一端部側から他端部側に向けて磁界が発生することを特徴とするモジュールである。
【００７４】
請求項３に記載の発明は、請求項１または請求項２に記載のモジュールにおいて、前記回路基板が配置されるハウジングと、前記回路基板を前記ハウジングに取り付けるための導電板と、を備え、前記導電板に前記変位部が設けられていることを特徴とするモジュールである。
【００７５】
請求項４に記載の発明は、請求項３に記載のモジュールにおいて、前記導電板は、前記回路基板を前記ハウジングに取り付けるためのフック部を備え、前記アンテナの中心軸の延長線上に前記変位部または前記フック部が配置されていないことを特徴とするモジュールである。
【００７６】
請求項５に記載の発明は、請求項３または請求項４に記載のモジュールにおいて、前記導電板と前記変位部との間には、その両方を連結する連結部が設けられ、前記連結部は、前記変位部に沿う前記アンテナの長手方向における中心部に対応した状態で、前記アンテナの磁界を横切って配置されていることを特徴とするモジュールである。
【００７７】
請求項６に記載の発明は、請求項３〜請求項５のいずれかに記載のモジュールにおいて、前記導電板には、前記アンテナに対する重なりを避けるための逃げ部が設けられていることを特徴とするモジュールである。
【００７８】
請求項７に記載の発明は、請求項３〜請求項６のいずれかに記載のモジュールにおいて、前記導電板には、前記ハウジングに係止されて前記回路基板を前記ハウジングに取り付けるためのフック部と、前記フック部に隣接して配置された他の変位部とが、前記アンテナの長手方向の他端部側に対応して設けられ、前記アンテナは、その中心軸の延長線が前記フック部と前記他の変位部との間に位置した状態で、前記回路基板に配置されていることを特徴とするモジュールである。
【００７９】
請求項８に記載の発明は、請求項１〜請求項７のいずれかに記載のモジュールにおいて、前記アンテナは、前記一端部側を前記回路基板の８時側に向け、前記他端部側を前記回路基板の６時側に向けた状態で、前記回路基板の７時側に位置する箇所に傾いて配置されていることを特徴とするモジュールである。
【００８０】
請求項９に記載の発明は、請求項１〜請求項８のいずれかに記載のモジュールにおいて、前記アンテナが配置された前記回路基板の一面側には、前記アンテナを避けた位置に、電池、圧力センサ、および磁気センサが配置されていることを特徴とするモジュールである。
【００８１】
請求項１０に記載の発明は、請求項１〜請求項９のいずれかに記載のモジュールにおいて、前記アンテナが配置された前記回路基板の他面側には、時刻指示機能および副表示機能を備えたムーブメントと、情報を電気光学的に表示する表示装置とが、配置され、前記副表示機能と前記表示装置とが前記アンテナを避けた位置に配置されていることを特徴とするモジュールである。
【００８２】
請求項１１に記載の発明は、請求項１〜請求項１０のいずれかに記載されたモジュールを備えていることを特徴とする時計である。
【符号の説明】
【００８３】
１  腕時計ケース
４  押釦スイッチ
５  上面スイッチ
６、７  圧力センサ
８  時計モジュール
１０  上部ハウジング
１１  下部ハウジング
１１ａ  電池収納部
１１ｂ  アンテナ収納部
１２  回路基板
１３  地板
１４  表示装置
１６  文字板
１７  指針
１８  小針
１９  副表示部
２０  電池
２１  アンテナ
２１ａ  一端部
２１ｂ  他端部
２２  フック部
２４  磁気センサ
２８  接点端子
３０  板ばね
３０ａ  先端部
３１  連結部
３２  逃げ部
【図１】
2018194557.tif 000003
【図２】
2018194557.tif 000004
【図３】
2018194557.tif 000005
【図４】
2018194557.tif 000006
【図５】
2018194557.tif 000007